(57)【要約】      （修正有）【課題】風呂場と台所を共有し、収納に工夫したバスキッチンユニットを提供する。【解決手段】台所に箱型の浴槽３を設置し、その上に跳ね上げ開閉できる、折り曲げ式支柱１０を備えた流し台５を設置して、台所の料理作業ができるように構成した。【選択図】図１
0003212921.tif 000002
【実用新案登録請求の範囲】
【請求項１】
ユニットバスの浴槽を箱型構造とし、その上に調理台などを設置する構造。
【請求項２】
台所に箱型浴槽を設置し、その上に跳ね上げまたは左右移動できる調理台を設置して、台所の料理作業ができるように構成した調理台。
【請求項３】
天井面のローゼット口に接続できる、コンセントを付属した新ローゼット口。
【請求項４】
請求項３に記載の新ローゼット口に延長ケーブル接続してなる構成の、新ローゼット口増設用の後付けの新ローゼット口。
【請求項５】
家庭用電気コタツの２面あるいは４面に保温性のある暖簾を取り付ける構造で、電気コタツに掛けられるように成型したコタツ用暖簾、又は木板、又は透明板。
【請求項６】
赤外線等の家庭用電気コタツのヒーターユニット内外に白や青や赤のＬＥＤランプを付属した家庭用電気コタツ。
【請求項６】
木枠や金属枠に透明、又は半透明、又は不透明の樹脂板を合成してなる雨戸。
【請求項７】
洗濯用タライなどに温度調節機能付き電気ヒーターを内蔵させたタライ。
【請求項９】
数字の２５７、英字のＣＥＦのような文字を成型したデザインの小型ＬＥＤライトで、１面に磁石をセットした物。
【請求項１０】
洗濯機の蓋を化粧台のように成型して給排水できる構造とし、排水は洗濯機洗濯槽とは別に排水できる構造構成とした洗濯機。
【請求項１１】
屋根集熱パネルと１Ｆ補助貯湯タンク間を不凍液を温度循環させる構造のソーラー集熱機器で、補助貯湯タンクと浴槽間はお湯が自然循環する給湯システム。
【請求項１２】
耳あて部分を小さくして、コンパクトに収納できるヘッドホン。
【考案の詳細な説明】
【技術分野】
【０００１】  本考案は、圧縮型の集積電気ハウスに関する考案や関連技術である。
風呂場と台所を共有する技術、収納に工夫した住宅技術である。
住宅関連家電品の応用技術開発の新提案についても説明している。
【背景技術】
【０００２】  従来お風呂は風呂場で、調理台は台所で専用スペースである。
どちらも水を扱うので排水や洗浄が課題になる。
理想的には台所、お風呂場、洗濯室などに分けるのがよいが、スペースが不足する土地ではボックス構造の単純な構成がよい場合がある。
全てをひとまとめにするのは困難なテーマと考えられていた。
台所は木製家具が多く使用されているが、お風呂場はタイル仕上げの床壁浴槽だから１室にまとめるのは困難だった。一般住宅ではそのような配置でよかった。
実際は台所も水を使うので床を水浸しにする事もあり、長い間には床も痛む。
ユニット圧縮ハウスでは部屋数は少ない方が良い場合がある。
家電製品の住宅への利用は、ソーラー関係、コンセント関係、電気コタツ、電気タライ、冷蔵庫、洗濯機、ＬＥＤライトなどの新提案を検討した。
【考案の概要】
【考案が解決しようとする課題】
【０００３】  解決しようとする問題点は、風呂場と台所が別々では２部屋になるが一緒にすれば１部屋１ユニットになる。できれば台所製品の防水化が望まれる。
狭いスペースを有効活用するため、お風呂の上に調理台や流し台が配置できるようしたり、冷蔵庫の上をテーブルとして活用する方法を検討する。
小さくても最新の技術で保温防音断熱防塵防水構造とか最新の住宅機器がよい。
ポータブルな電気コタツの形を考えて改良したい。
入浴とは別に、シャワー利用の電気タライも活用できればよい。
住宅内の荷物が増えると収納に困るが、簡単なスペースの増設方法を検討する。
狭い敷地に建設できる小型住宅を検討する。
【課題を解決するための手段】
【０００４】  本考案は、お風呂をクーラボックスのような構造にしたり、お風呂の大きさや高さに合わせた台やケースを置いたりする方法を考えた。風呂マットだけでは物が置けないのでコタツ板のような耐水板を風呂の上に乗せる。お風呂に入浴するのは一時でシャワー利用でも済む事が多いので、普段は調理台を乗せておけば料理ができる。
大きな調理台の中や下にお風呂を収納するとか、移動できる構造でも良い。
問題はホテルなどの一般のバスタイプは上に調理台を設置するのが困難なので、独立した箱やカップのような浴槽にするのが好ましい。箱やカップのような浴槽なら保護カバーを掛け、その上に調理台や流し台を置いて水を使うなら排水は浴槽に流れず排水溝に流れる。入浴は時々でも良いので、通常は調理台流し台を置いて作業できる。
箱型浴槽なら浴槽の上にテーブルを載せて食事に利用することも可能だ。
ユニットバスタイプの場合は排水がバス外に出ないので、浴室外の電気製品類に水が飛ばないので安全である。内部の洗浄も楽になる。
現状の台所でも水浸しにすれば感電事故の危険はある。
実用化に際しては、感電事故の防止対策を十分に考慮する。
浴室と台所が共用できるならスペースに余裕ができ、１ユニットに収まる。
リビングスペースも含めて１ユニットでもよい。
外置き洗濯機を開発する方法もあるが、小型軽量洗濯機を配置する方法もある。
テーブルのような冷蔵庫も開発できれば、冷蔵庫上をテーブルにして食事ができる。
両面又は角２面にドアを付けた冷蔵庫は開発できないものだろうか。
高さは低くなるので重量的には大差ないし、テーブル分だけ省スペースになる。
冷蔵庫の上面にボルト穴を付けてテーブルをボルトでセットするとか、上から押し込むとロックされるようなセット方法もある。底面に水受け板もあるとよい。
しかし純国産で開発するには開発時間と開発経費が相当必要になる。【０００５】  二層式洗濯機の場合は洗濯物を入れるところにサイズに合わせた水受けの着脱ができる蓋を工夫すれば、洗濯機を化粧台の代用品として利用できる場合がある。
全自動洗濯機でもふたパネル板の形状に工夫すれば同様である。
水関連なので洗濯機上のカバーや排水に工夫すれば、洗濯機カバーが化粧台になる。
排水も洗濯機の排水ホースに合流する構造にすれば問題がない。
給水については洗濯機への給水を分流させれば利用できる。
非常用品なので需要予測が難しいが、一般家庭でも役立つ場合はあると思う。
天井や壁面にポールやダクトボードを配置する。
玄関屋根を工夫して内外に防犯センサーを設置すれば有効な場合がある。
建材取り付け後は外部増設なので工事も難しくなる。
あらかじめ電気のコンセントや小屋根内に収納部をつけロックしてもよい。【０００６】  入浴時の水の飛散防止にはビニールカーテンレールの使用や，ユニットバスＢＯＸの活用が飛散水対策にも優れているが、配置も関係する。
最近は樹脂製の床材があるし、柔軟な壁材もあるのでベニヤ板でも防水にできる。
ユニットバスは既に量産されており普及が進んでいる。
煙のあまり出ない魚焼き器具もでき、電気式の換気フードも普及してきている。
お風呂場では換気扇でも換気フードの代用になり、どちらか１台で済む。
水回りユニット内で２部屋に分けて、冷蔵庫やレンジは床や台置きでもよい。
台所やお風呂場は水回りユニットにまとめると給排水配管が簡素化できる。
リビングユニットは２段ベッドや床下収納や天井収納を活用する。
天井内は各種の配管配線が多くてスペースが確保できない場合が多いが、パソコンと同じで限度まで集積配管配線してスペースを確保して収納スペースに活用する。
メンテナンスにも配慮した集積技術を開発する必要がある。
【考案の効果】
【０００７】  住宅のバスキッチンユニットがまとまる。
お風呂場台所なら水洗いしても排水に問題がない。
瞬間湯沸かし器１台をキッチン仕事に使ったりお風呂に使ったりできる。
防水タイプのキッチン用品の開発が進み、ボックス型のお風呂もできる。
入浴時は通常のマットをのせて沸かし保温してもよい。
工場組み立てなら最新の技術を駆使したユニット住宅の量産化が進む。
１あるいは２ユニットに住宅がまとまれば、保管設置移動も楽になる。
壁際の洗濯機が化粧台になれば省スペースになる。
冷蔵庫の上がテーブルなら、テーブルが冷蔵庫のようになる。
お風呂の上が調理台や流し台なら、調理台の下がお風呂のような家具になる。
【発明を実施すための最良の形態】
【０００８】  二段積み三段積みや、設置場所の基礎工事など課題はある。
温水ソーラー発電なども積極的に技術面で実用化するのが良い。
お風呂調理台流し台や洗濯機化粧台やテーブル冷蔵庫や天井配管ポールＢＯＸは省スペース高機能住宅を可能にするので開発改良を進める。
用途に応じて構成できるが、若い人は防音性、老人は保温移動性能が重視される。
増設を考慮したユニットハウスなら価格などの予算に合せて構成できる。
既存の住宅や新設住宅に大型家電ＢＯＸのように販売設置できるのがよい。
増設より壁内や天井内を通常配管の他に増設対応のダクト構造化をする。
天井と２Ｆ床の間を２重天井のような構造にするなどの方法がある。
通常は保温材や断熱材を間に入れて、増設の場合は配管配線の通路に利用できる。
２Ｆ天井上も同様に施工すれば、天井上に倉庫などが配置できたりする。
一般的には建築工事費用が増加するから難しい課題になる。
大量生産ハウスでなければ難しいテーマだが、圧縮ハウスの標準化が課題だ。
【実施例１】
【０００９】  図１は、本考案のための一例である。お風呂の上に立てて入浴する。
倒して流し台を広げて料理作業ができる。
ボックスタイプの場合や、厚めの作業板なら重量物に耐えられる。
床に沈んだ浴槽の場合は収納ケースのような調理台を置いてもよい。
現実問題として新品時は良くても、流し台は困難なので調理台利用がよい。
浴槽にカバーを載せて、その上に調理台を載せれば作業できる。
調理台と流し台が１体タイプは大きくなりすぎて切り替えも難しいので、調理台と流し台を分けて２台にすれば、お風呂と調理台の切り替えで済む。
従って浴槽の横に流し台を配置して、調理台は入浴の時は開き、入浴後はセットするようにすれば台所としての作業スペースが確保できる。
調理台を上げて、又はその上にテーブルを置いて使うこともできる。
お風呂場で台所作業ができればスペースの有効活用になる。
【実施例２】  ユニットハウスを２ユニットに分けたモデルである。
リビングを１ユニット、台所とお風呂場を１ユニットにしている。
ホテルの簡易ユニットバスの台所への組み込みを考えているので独立型浴槽がよいが、壁際の防水を工夫すればその上を調理台や流し台にできる。
【産業上の利用の可能性】
【００１０】  地震などの災害時の一時住宅として倉庫に段積みして保管すればすぐ対応できる。
２列３列あるいは２段３段と重ねれば圧縮性は大きくなり、家族人数が増やせる。
学生などの格安住宅として、高齢者住宅としての活用が期待できる。
【００１１】  例えば電気ポットはエコで８０度保温はあるが４０度保温のポットもあると良い。
８０度のお湯もまだかなり熱く焼けどの危険がある。５０度なら安全だろう。
技術的にはサーモを増やすだけである。タライにヒーターを付属して５０度のお湯を沸かす方法もある。保温材を巻くとか、保温蓋を使用してもよい。
高性能ヒーターが出ているので、洗濯用のタライにヒーターを付属してもよい。
タライから外して、お風呂や洗面器にも使える構造でもよい。
洗濯物によりお湯洗いが良い場合もある。
大型浴槽と違い短時間でお湯が沸くので、小物が洗え、節電にもなる。
タライタイプで湯沸し機能があれば低温の湯はタライタンクから出し、高温の湯はポッ  トから出して使う方法もあり火傷の防止になる。
タライ部分は２層構成にしたほうが使ってから、洗って元に戻すができる
足湯が流行しているが、ポットの熱い湯に水を足して使えるがすぐ冷めてしまう。
タライにヒーター内蔵なら、電源線を接続してスイッチをいれれば加熱するので１０分間の足湯でも暖かいので効果も期待できる。
足湯の場合は湯量が少ないし、冷める分の加熱なので節電になる、
【００１２】  保温防音対策としての雨戸がある。従来の雨戸は木枠にトタン材を取り付けたタイプが多いが、木枠に透過性のある樹脂材や強化ガラスを使った雨戸もあるとよい。
夏は適度に日差しを遮り、冬は天気の日は従来の雨戸と違い暖かい。保温断熱防音効果  があるので活用範囲も広がる。ガラス窓との間に保温材を挟んでも良い。
最初は従来のトタン雨戸を、試作品雨戸に替えての試験利用からでも良い。
季節の変化で方角毎の日照量が変わるので、透明の雨戸や半透明の雨戸や不透明の雨戸  を準備、配置替えして利用すれば効果的な雨戸の活用実験ができる。
高級タイプは車で使用される硬質ガラスでもよいが、道路面以外では薄い透明や白黒の  プラスチックパネルでもよい。固定は枠やレールや金具やビスでよい。
トタン雨戸の場合はトタンを折り曲げて釘やビスで止めたタイプが多い。
トタン板の特性だが、樹脂材の場合は樹脂材単独でも成型できる。
価格などで選択し、テスト製作して実験するとよい。
【００１３】  従来の照明器具は引き掛けローゼットが多く使用されるが、昨今のＡＶ機器などに対応できるように図面のようなコンセント装備でチエーンタイプの照明器具にも利用できるローゼット器具を考案しているので生産活用をすすめる。
スピーカやセンサー機器なども設置できるし、ＬＥＤライトが利用できる。
例えば８畳間を２部屋に分けて使いたい時に利用できる。
この増設対応のローゼットを接続すれば、最初の照明器具はそのまま使える。
セット品の電線をコンセントに差し、伸ばして新しい位置に取り付けできる。
必要なら２台３台と照明器具を増設することが比較的簡単にできる。
【００１４】  ＬＥＤライトは低電力ランプなのでボタン電池でも点灯し長寿命なので、携帯電話の補助照明より明るいので非常照明としての価値も大きい。
考案の新ＬＥＤライトは数字の２５７や英字のＣＥＦＵなどをイメージして製作するのでライト本体の製造が単純で、ＬＥＤ電球とボタン電池とスイッチを組み込めば完成する。各数字の先端部をＬＥＤ電球として変形した角型ライトになる。
また平坦部に普通の磁石又は薄型の強力磁石を付ければ鉄面に固定できる。
例えば冷蔵庫や電気ポットや石油ストーブの鉄面などに固定できる。
あらかじめ変形済みなので、暗い室内でも電気ポットの水面などもよく見える。
少し保管しておけば、夜間や暗い場所で役に立つ。
【００１５】  リビングルームの電気コタツに関する提案として、保温型の改造が考えられる。
家電メーカーからセット品が発売されるまでは、個人的に改造する材料をセットで提供するものである。従来の電気コタツは４人でも利用できるが、これを足長コタツにするとコタツ布団を２枚３枚と増やさないと寒い感じになる。
その対策品が保温板や暖簾を両面に設置する本考案の保温コタツである。
４面暖簾の場合は４人利用にも対応できる。足長改造でもコタツ布団が２枚あれば足りるなどの特徴があり、コタツ布団なしでも電気コタツになる。
従来の電気コタツと比較すると、コタツ布団ゼロでも暖房できるのでコンパクトになり、椅子を使えばテーブルとして利用できる。
テーブルの下に赤外線ヒーターを付けて、回りに暖簾をセットしてもよい。
基本タイプの場合はコタツのサイズに合わせた保温板をマジックテープでコタツの４本足に固定することで完成する。暖簾のようにコタツ本体に掛けてもよい。
大型の場合はさらに薄い鉄板で連結するほうが頑丈な電気コタツになる。
【００１６】  暖簾の材質や構成構造が専門的課題になる。
暖簾の厚さを２ｃｍにするか４ｃｍにするかは値段や材質で決まる。
引きかけ金具もＥ型で簡単に着脱できて、洗濯できるタイプがよい。
引き掛ける金具を縦板に蝶ねじで締める金具なら各社コタツに合う。
テーブル類に構成する場合は横板に挟んで固定するＦ型金具がよい。
セット品の電気コタツなら、コタツに合せてあるので引き掛け方法が堅固になる。
コタツを足長にすると全体の安定度が低下する。その対策として本箱や収納ケースを段積みして、お猿の籠屋のようにして載せると安定する。
両サイドが使えないが電気コタツは安定するし、幅も広くできる。
上に置くだけなので高さも自由に変更できる。
籠の棒を掛ける金具の例を図面に図示している。不要なら外して保管する。
５字Ｓ字のような金具はビスなしでも利用できる。
特殊コタツは通常必要ないし嵩張るだけだが、なにか役に立てばと思う。
エアコンの効いた部屋が理想だが節電コタツでもないよりはましである。
【００１７】  電気コタツの赤外線ヒーター部に白青赤などのＬＥＤランプを内蔵すれば、コタツ中照明ができるので掃除機で掃除するときに明るいので楽になる。
コタツの木枠にランプソケットを配置すれば、用途に応じて白青赤が選べる。
ランプガードで破損防止構造のユニットにまとめてもよい。
ランプは赤外線ヒーターユニットの内部にすれば金網があり破損の心配がない。
ランプスイッチはコタツの温度設定器に付属設置できる。
ＬＥＤランプの数や配列や点灯時間を変えてネオンのようにできる。
普通コタツでごく稀に使う位なら３Ｖや６Ｖの乾電池でも点灯する。
長時間点灯の利用ならＡＣアダプターがよい。ＡＣ１００ＶのＬＥＤランプもある。
ＬＥＤランプユニットは着脱型で、ユニットにスイッチを設けてもよい。
言うは安く、製品化は難しいが不可能なテーマではない。
【００１８】  電気ケーブルには一般用、ＡＶ用、ラジオ用、ＰＣ用などがある。
節電なのでタコ足コンセントをさけて、パソコンの電線を外してからラジオを聴きたい時に、ＰＣコネクタにラジオ変換コネクタをさしてからラジオに接続すればラジオが聴ける。ラジオからＡＶ機器に変換できれば１本のケーブルでよい。
図面のような合成ケーブルや各種変換コネクタがあれば機動的である。
製作自体は困難ではないが需要が少ないのだろうか。
合成ケーブルのほうが分かりやすく、紛失する事も少ない。
【００１９】  天井面の利用だが、工場で天井に吊り金物を取り付けておけば図面７のような物干しポールをすぐ設置する事もできる。図示した物はステンレス製あるいは鉄アルミ製の物干しポールだが内部に防水Ｆケーブルなどを使用したコンセントケーブル内蔵タイプの１例である。天井面に用意した引き掛け金具部分に掛ければ使える。
増設の場合は天井にドリルで穴明けしてから吊り金具を取り付ける必要があるので、取り付け場所によっては突然落下する事もあり、工事時間費用も大きくなる。
設計図で確認して工事段階で設置しておけばポールを掛けるだけで済む。
ポール以外にもカーテンレール増設、電気ストーブや電気スタンドも使える。
あらかじめポール金具が準備されていれば、ダクトも設置できる。
直接天井面にドリルで穴あけすることなく電線や給排水管や給排気管が入る。
新開発の増設ローゼットを接続すれば、照明器具を２台３台と簡単に増設できる。
【００２０】  考案の延長上にワゴンタイプ、トランクタイプの自動車活用ハウスがある。
車両床を防水構造に成型し、その中にキッチン用品やリビング用品を入れる。
給排水系や電気系をコンパクトにまとめればよい。
車両は総重量が重いので誰でも利用できる住宅には向かない。
価格を無視すれば自動車型の圧縮ハウスが理想である。
大型のコンテナに考案の集積電気ハウスをそのまま全部収納してもよい。
必要に応じてハウスは置き場に出して、大型トラックとして走行できる。
小さなタイヤ付きブレーキ付きのユニットハウスが良い場合もある。
小型化が進めば、ワゴン車に全部入るモデルができる場合もある。
荷台の高さに合せた置き台があれば、車に積んだり、出して保管できる。
わざわざ車内をあれこれ改造する必要がないし、改造失敗もなくなる。
業務で必要なら荷台を空にして、普通のワゴン車として乗車できる。
車両を廃棄する際は、ユニットを出して保管して再利用できる。
【００２１】  寒い日が続くと屋根雪は簡単には融けないし、水も冷たい。
散水しても効果が少ないが、ある程度加熱したお湯は効果がある。
従ってボイラーや瞬間湯沸かし器のお湯を屋根の雪にある程度散水すれば融雪は進むし、瓦タイプの屋根なら少量のお湯でも屋根雪が融けて滑りやすくなる。
図面１１はその施工例を示している。
ボイラーのお湯あるいは瞬間湯沸かし器のお湯あるいは加熱機器からのお湯を屋根に散水して屋根表面に固まった雪を融かして融雪する。
図面は屋根上に配管したパイプからの散水だが、水が豊富なら回転式散水機器から降雪時に間歇散水すれば積雪防止できる。
図１１の１の散水部に貯湯、あるいは散水部を下から加熱してお湯ができれば、その湯を散水して融雪に利用できる場合もある。
ボイラーの廃熱や木材を燃焼した廃ガスなどが流せる構造に屋根上を構成できればその廃熱でお湯ができたり、周囲の雪が最初に融けたりする。
ソーラーシステムの冬季利用で屋根上の貯湯スペースを暖める方法もある。
実際は雪の中で散水するのは容易ではなく理想論になりやすい。
寒中にどれだけ加熱できるかの実験継続も必要なので提案型アイデアになる。
屋根も新型の屋根が各種でているので、瓦屋根にこだわらなければ種々ある。
瓦屋根は地震などで動揺すると修復が難しいことがある。
屋根頂上付近は素人では手がつけられないほど難しい。
屋根の頂上は鉄製として１部平面化し、錆びたらリフォームする方法もある。
その方が溶接などでソーラーパネルを固定できるし、ベランダも増設できる。
ボルトが使えれば堅固な固定方法で設備の増設ができる。
昔と違い、ＴＶアンテナでけがする人もいるが、ＴＶアンテナも固定できる。
ソーラー設備と同じで、建物の設計段階で検討しないと難しくなる。
【００２２】  防音性能の求められる時代だが簡易型のヘッドホンプレーヤーがある。
目はメガネ、鼻はマスクだが、騒音に対してはヘッドホン改良が考えられる。
５曲程度のＢＧＭ音楽がエンドレスで流せればよい、騒音が打ち消される。
現状のヘッドホンは耳あて部分が大きく、プレーヤーへのコードもかさばる。
そのために収納時にかさばり扱いに苦労する。
耳あて部分を小さくして、時計のベルトのように収納できれば助かる。
ヘッドホンとしての音楽性能より収納力や低価格性を重視している。
イアホンはすぐ外れるが、ヘッドホンは耳への安定性が良い。
そう考えると、１方向性の時計のバンドタイプでもよい。
ＳＤプレーヤーも超小型なので価格は高いがヘッドホンにおさまる。
イアホンコード不要のヘッドホンなのでますますコンパクトにまとまる。
ヘッドホンがコンパクトウオークマンになる。
【００２３】  タワータイプやロケットタイプのソーラーシステムも考えられる。
新型は大きなタンクで熱交換してヒーターで加熱しているが、廉価版として小型の補助貯湯タンクとお風呂で熱交換できる方法を検討してみた。
原始的ソーラーだから天気の良い日だけの設備だが、ないよりは役に立つ。
工場で配管済みなら設置が比較的簡単になる。
１階に補助貯湯タンクを設置して時々モーターで循環させる。
屋根上の貯湯タンクは小型なので重量も限度まで軽くできる。
１階の補助貯湯タンクとお風呂の基準水面を合わせれば安全度はよくなる。
高さが違う場合でも調整する方法は各種あるし大型タンクでもよい。
パネルの雪よけは高屋根などでは難しいし、危険が多い。
図面１３はお風呂をソーラーパネルと考えれば、従来方式と大差のないソーラーシステ  ムである。このお風呂を発泡スチロールなどで保温するとよい。
保温材で埋設部分を断熱すれば保温性が良くなるので昇温する。
クーラボックスのような構成にすればお風呂にしたり、蓋を閉めてその上に台所の調理台を載せたり、テーブルを置いたりできる。。
屋根が強化透明ガラスドーム構造なら２階天井部分にバスルームが設置できる。
浴槽下部や側面に集熱管パネルを配置して貯湯タンクのようにしてもよい。
状況により、従来方式のパネルを屋根裏に設置して利用してもよい。
【００２４】  不凍液を集熱パネルと屋根貯湯タンク間に循環させる方法はある。
新案では不凍液を１Ｆと屋根間で循環させて集熱促進する。
水を温水にして１Ｆと屋根間を循環させると１Ｆ補助貯湯タンクの水は昇温する。
補助タンクとお風呂間は曇天の日は自然循環させれば多少は暖まる。
寒い日はお風呂に投げ込み式の電気ヒーターを入れて加熱してもよい。
清水の湯はどうするかだが、瞬間湯沸かし器で代用できるが、小型補助タンクを清水用とするか内部を２室に分けて、１室は清水用に１室は風呂水と共用する方法がある。それだけ小型タンクで間に合うソーラー方式になる。お風呂の水が直接暖められるが保温に工夫がいるので、保温できるクーラボックス構造がよい。
ヒーター方式やエコキュート方式は高性能だが電気機械制御が複雑である。
新不凍液方式は、配管費用と補助タンクだけなので割安になる。
通常の２Ｆ貯湯タンクは小型不凍液タンクとして、１Ｆと屋根間を循環させる。
補助タンク近辺で分流して清水系補助タンクとお風呂系補助タンクに流す。
その分大型タンクは不要で、清水湯も利用できると考えられる。
問題は配管距離が長いので放熱が大きくなり、集熱効率に課題が残る。
不凍液はパネルの腐食がないなどの利点や、寒冷地でのパネル凍結などの防止効果があるが、水の直接利用でも天気の日は熱くなる。
集熱力の強い特殊冷媒液を使うと高効率になると考えられる。
配管にマグネットを使うと高効率になるとして実用化されている。
原始ソーラーだから天気のよい日しか利用できない難点がある。
給湯器と組み合わせれば２４時間給湯に変更可能である。
薪ストーブの廃熱でお湯を加熱できる場合もある
【図面の簡単な説明】
【００２５】
【図１】  簡単なユニットハウスの製作例である。水回りユニットはお風呂や調理台が主体である。
【図２】  台所とリビングの２部屋が基本構成のユニットハウスの１例である。台所は水回りユニットとして風呂場や洗濯場も含める構成である。
【図３】  電気タライの例である。洗面器や洗濯用タライに加熱ヒーターを付けてお湯が沸かせる。
【図４】  新引き掛けローゼットの例である。考案のローゼット器具はコンセントやＬＥＤ電球などが付属している。
【図５】  雨戸の簡単な組み立て例である。トタン雨戸を樹脂系雨戸に変更するだけである。
【図６】  新ＬＥＤライトの１例である。図面は２、７の場合の１例である。
【図７】  天井面に掛けて使える物干しポールである。２列３列は増設ポールの使用例である。
【図８】  非常対応の合成ケーブルの１例である。図示のケーブルは非常用として各種あらかじめ一本にまとめてある。
【図９】  暖簾式電気コタツの暖簾着脱面の１例である。Ｅ型金具に１列で暖簾を構成し、１列をコタツの木枠に掛けている。
【図１０】  ランプ付きコタツの構成例である。赤外線ヒーターユニットのかご内にＬＥＤランプがある。
【図１１】  屋根上からの散水設備の施工例である。積雪した場合は加熱機器からのお湯を散水して融雪する。
【図１２】  遮音用のヘッドホン兼音楽プレーヤーを内臓している。頂部にソーラーパネルを付属しているが、省略してもよい。
【図１３】  １Ｆ補助タンク方式のソーラー温水器の概念図である。埋め込み式浴槽タイプの例だが、お風呂は普通タイプでもよい。
【符号の説明】
【００２６】図面１
１  排水口
２  排水ホース
３  浴槽
４  水受け
５  跳ね上げ式流し台
６  水用水栓
７  湯用水栓
８  換気扇
９  調理台
１０  折り曲げ式支柱
１１  床
１２  窓
図面２
１  天井収納部
２  建物屋上
３  分電盤
４  玄関ドア
５  窓
６  床下収納部
７  通路ドア
８  台所天井収納部
９  換気扇
１０  窓
１１  ユニットバススペース
１２  台所床下収納部
図面３  電気タライ
１  タライ本体
２  タライポットへの給水部
３  保温ポット置き台
４  タライタンクからの出湯ボタン
５  タンク内の湯
６  タライポットからの出湯口
７  タライ内の電気ヒーターの例
８  タライポットへの電源ケーブル
図面４
１  チエーン引き掛け部
２  新ローゼット受け本体
３  本体止めビス穴
４  新引き掛けローゼットのローゼット器具取り付け口
５  増設コンセント」
６  ＬＥＤランプ取り付け口
７  電源ケーブル入線口またはケーブル引き出し口
図面５
１  木枠
２  雨戸の裏面
３  樹脂板
４  木枠、又は金枠
５  木枠と樹脂板を合成、落ちないように金具で押さえている。
図面６
１  ＬＥＤランプ
２  ライト本体
３  ボタン電池やスイッチ
４  マグネット部
５  ＬＥＤランプ
６  ７型ＬＥＤライト本体のスイッチ
７  ７型ＬＥＤライト本体
８  マグネット部
図面７
１  物干しポールのコンセント部
２  物干しポール本体
３  物干しポールの増設部
４  物干しポールの増設部
５  物干しポールへの電線入線部
図面８
１  コンセントへの差込み
２  ケーブル本体
３  ラジオ用の差込口
４  ＡＶ用の差込口
５  ＰＣ用の差込口
６  一般用の差込口
図面９
１  暖簾圧縮バンド
２  暖簾圧縮バンドの金具押さえ部
３  暖簾金具の木枠上の部分
４  暖簾金具を木枠に掛けて固定する引き掛け部
５  電気コタツ本体の外周木枠の一部
６  電気コタツの内側木枠の一部
７  暖簾の分割部
８  電気コタツの脚
９  棒受け金具のコタツへの固定ビス
１０  コタツ脚代わりに棒を通す時の棒受け金具の１例
図面１０
１  赤外線などのヒーターユニット
２  ＬＥＤランプ
３  赤外線ランプヒーター
４  電気コタツの木枠
５  電気コタツの本体外周木枠の一部
６  電気コタツの温度設定器やＬＥＤランプスイッチ
７  電気コタツの脚ねじ込み部
８  電気コタツの電源ケーブル
９  電気コタツの入り切りスイッチ
１０  電気コタツのコンセントへの差し込みプラグ
図１１
１  貯湯水タンク兼散水タンク
２  建物の屋根
３  屋根上への給水給湯の配管
４  給水給湯の屋根上側へのバルブ
５  給水加熱機器でボイラーや瞬間湯沸し器など
６  加熱機器への給水バルブ
図１２
１  ヘッドホン本体
２  ＳＤプレーヤー内蔵部
３  耳あて部
４  小型ソーラーパネル
５  ラジオなどへのイアホンケーブル（１部省略）
図１３
１  １Ｆ補助貯湯タンク
２  １Ｆ補助タンクと屋根上の補助貯湯タンクへの配管
３  １Ｆ補助タンクとお風呂への配管
４  お風呂
５  お風呂外側
６  １Ｆ補助タンクとお風呂への配管
７  １Ｆ補助タンク水槽の水面
８  給水バルブ
９  １Ｆ補助タンクと循環ポンプへの配管
１０  循環ポンプや制御機器
１１  循環ポンプと屋根上の小型貯湯タンクへの配管
１２  １Ｆお風呂の水面
【図１】
0003212921.tif 000003
【図２】
0003212921.tif 000004
【図３】
0003212921.tif 000005
【図４】
0003212921.tif 000006
【図５】
0003212921.tif 000007
【図６】
0003212921.tif 000008
【図７】
0003212921.tif 000009
【図８】
0003212921.tif 000010
【図９】
0003212921.tif 000011
【図１０】
0003212921.tif 000012
【図１１】
0003212921.tif 000013
【図１２】
0003212921.tif 000014
【図１３】
0003212921.tif 000015
【手続補正書】
【提出日】平成29年4月12日(2017.4.12)
【手続補正１】
【補正対象書類名】実用新案登録請求の範囲
【補正対象項目名】全文
【補正方法】変更
【補正の内容】
【実用新案登録請求の範囲】
【請求項１】
集積電気ハウス従来型ハウスで台所に箱型浴槽を設置し、その上に開閉式の調理台を設置して、料理作業ができる構成の調理台。
【請求項２】
集積電気ハウス従来型ハウスで請求項１に記載の台所箱型浴槽の上に左右移動できる調理台を設置して、料理作業ができる構成の調理台。
【請求項３】
集積電気ハウス従来型ハウスでクーラＢＯＸ式の保温機能を備えた箱型浴槽。
【請求項４】
集積電気ハウス従来型ハウスで天井面のローゼット口に接続できる差込ソケットを持ち、新たに照明器具用の新受け側ローゼット口と一般用１００Ｖコンセントを付属した従来の照明器具に替る初段ローゼット増設器具。
【請求項５】
集積電気ハウス従来型ハウスで請求項４に記載の初段ローゼット増設器具に対して、従来の照明器具はその受け側新ローゼット口に差込接続し、増設予定の照明器具は初段ローゼット増設器具の一般用１００Ｖコンセントの一般用差込プラグ接続し、ケーブルを延ばして新しい受け側ローゼット口を増設したい天井面に木ビスで固定すれば新しい天上面新ローゼット口になるので新しいローゼット照明器具が取り付けできるコード延長型ローゼット増設器具。
【請求項６】
集積電気ハウス従来型ハウスで金属枠に半透明の樹脂板を合成してなる雨戸。
【請求項７】
集積電気ハウス従来型ハウスで家庭用電気コタツの４面に取り付けできるサイズに合成成型した保温性のあるコタツ用暖簾。
【請求項８】
集積電気ハウス従来型ハウスで家庭用電気コタツのヒーターユニット内に白青赤黄色のＬＥＤランプを付属した家庭用電気コタツ。
【手続補正書】
【提出日】平成29年7月19日(2017.7.19)
【手続補正１】
【補正対象書類名】実用新案登録請求の範囲
【補正対象項目名】全文
【補正方法】変更
【補正の内容】
【実用新案登録請求の範囲】
【請求項１】
ユニットバスを箱型構造とし、その上に調理台を設置する構造。
【請求項２】
台所に箱型バスを設置し、その上に跳ね上げ開閉できる調理台を設置して、台所の料理作業ができるように構成したバスキッチンユニット。
【請求項３】
台所に箱型バスを設置し、その上に左右移動できる調理台を設置して、台所の料理作業ができる構成としたバスキッチンユニット。
【手続補正２】
【補正対象書類名】明細書
【補正対象項目名】全文
【補正方法】変更
【補正の内容】
【考案の詳細な説明】
【技術分野】
【０００１】  本考案は、個人版集積電気ハウスモデル２９を考案名称  集積電気ハウスモデルとした圧縮型の集積電気ハウスに関する考案や関連技術である。
風呂場と台所を共有する技術、収納に工夫した住宅技術である。
住宅関連家電品の応用技術開発の新提案についても説明している。
【背景技術】
【０００２】  従来お風呂は風呂場で、調理台は台所で専用スペースである。
どちらも水を扱うので排水や洗浄が課題になる。
理想的には台所、お風呂場、洗濯室などに分けるのがよいが、スペースが不足する土地ではボックス構造の単純な構成がよい場合がある。
全てをひとまとめにするのは困難なテーマと考えられていた。
台所は木製家具が多く使用されているが、お風呂場はタイル仕上げの床壁バスだから１室にまとめるのは困難だった。一般住宅ではそのような配置でよかった。ユニット圧縮ハウスでは部屋数は少ない方が良い場合がある。家電製品の住宅への利用は、ソーラー関係、コンセント関係、電気コタツ、電気タライ、冷蔵庫、洗濯機、ＬＥＤライトなどの新提案を検討した。
【考案の概要】
【考案が解決しようとする課題】
【０００３】  解決しようとする問題点は、風呂場と台所が別々では２部屋になるが一緒にすれば１部屋１ユニットになる。できれば台所製品の防水化が望まれる。狭いスペースを有効活用するため、お風呂の上に調理台が配置できる構成としたり、冷蔵庫の上をテーブルとして活用する方法を検討する。
小さくても最新の技術で保温防音断熱防塵防水構造とか最新の住宅機器がよい。ポータブルな電気コタツの形を考えて改良したい。
入浴とは別に、シャワー利用の電気タライも活用できればよい。
住宅内の荷物が増えると収納に困るが、簡単なスペースの増設方法を検討する。狭い敷地に建設できる小型住宅を検討する。
【課題を解決するための手段】
【０００４】  本考案は、お風呂をクーラボックスのような構造にしたり、お風呂の大きさや高さに合せた台やケースを置いたりする方法を考えた。風呂マットだけでは物が置けないのでコタツ板のような耐水板を風呂の上に乗せる。お風呂に入浴するのは一時でシャワー利用でも済む事が多いので、普段は調理台を乗せておけば料理ができる。
大きな調理台の下にお風呂を収納するとか、移動できる構造でも良い。
ホテルなどの一般のバスタイプは上に調理台を設置するのが困難なので、独立した箱やカップのようなバスにするのが好ましい。箱やカップのような構造なら保護カバーを掛け、その上に調理台や流し台を置いて水を使うなら排水は排水溝に流れる。入浴は時々でも良いので、通常は調理台流し台を置いて作業できる。箱型バスならテーブルを載せて食事に利用することもできる。
ユニットバスタイプの場合は排水がバス外に出ないので、浴室外の電気製品類に水が飛ばないので安全である。内部の洗浄も楽になる。
実用化に際しては、感電事故の防止対策を十分に考慮する。
浴室と台所が共用できればスペースに余裕ができ、１ユニットに収まる。
リビングスペースも含めて１ユニットでもよい。
外置き洗濯機を開発する方法もあるが、小型軽量洗濯機を配置する方法もある。テーブルのような冷蔵庫も開発できれば、冷蔵庫上をテーブルにして食事ができる。両面又は角２面にドアを付けた冷蔵庫が考えられる。
高さは低くなるので重量的には大差ないし、テーブル分だけ省スペースになる。冷蔵庫の上面にボルト穴を付けてテーブルをボルトでセットするとか、上から押し込むとロックされるようなセット方法もある。底面に水受け板もあるとよい。【０００５】  二層式洗濯機の場合は洗濯物を入れるところにサイズに合せた水受けの着脱ができる蓋を工夫すれば、洗濯機を化粧台の代用品として利用できる
全自動洗濯機でも蓋パネル板の形状に工夫すれば同様である。
水関連なので洗濯機上のカバーや排水に工夫すれば、洗濯機カバーが化粧台として利用できる。排水も洗濯機の排水ホースに合流できる。
給水については洗濯機への給水を分流させれば利用できる。
天井や壁面にポールやダクトボードを配置する。
玄関屋根を工夫して内外に防犯センサーを設置すれば有効な場合がある。
建材取り付け後は外部増設なので工事も難しくなる。
電気のコンセントや小屋根内に収納部をつけロックしてもよい。【０００６】  入浴時の水の飛散防止にはビニールカーテンレールの使用や，ユニットバスＢＯＸの活用が飛散水対策にも優れているが、配置も関係する。
最近は樹脂製の床材があるし、柔軟な壁材もあるので防水にできる。
ユニットバスは既に量産されており普及が進んでいる。
煙のあまり出ない魚焼き器具もでき、電気式の換気フードも普及してきている。お風呂場では換気扇でも換気フードの代用になる。
台所やバスは水回りユニットにまとめると給排水配管が簡素化できる。
リビングユニットは２段ベッドや床下収納や天井収納を活用する。
天井内は各種の配管配線が多くてスペースが確保できない場合が多いが、パソコンと同じで限度まで集積配管配線してスペースを確保して収納スペースに活用する。メンテナンス配慮した集積技術を開発する必要がある。
【考案の効果】
【０００７】  住宅のバスキッチンユニットがまとまる。
お風呂場台所なら水洗いしても排水に問題がない。
瞬間湯沸かし器１台をキッチン仕事に使ったりお風呂に使ったりできる。
防水タイプのキッチン用品の開発が進み、ボックス型のお風呂もできる。
入浴時は通常のマットをのせて沸かし保温してもよい。
工場組み立てなら最新の技術を駆使したユニット住宅の量産化が進む。
１あるいは２ユニットに住宅がまとまれば、保管設置移動も楽になる。
壁際の洗濯機が化粧台になれば省スペースになる。
冷蔵庫の上がテーブルなら、テーブルが冷蔵庫のようになる。
お風呂の上が調理台や流し台なら、調理台の下がお風呂になる。
【発明を実施すための最良の形態】
【０００８】  二段積み三段積みや、設置場所の基礎工事など課題はある。
温水ソーラー発電なども積極的に技術面で実用化するのが良い。
お風呂調理台流し台や洗濯機化粧台やテーブル冷蔵庫や天井配管ポールＢＯＸは省スペース高機能住宅を可能にするので開発改良を進める。
用途に応じて構成できる。
増設を考慮したユニットハウスなら予算に合せて構成できる。
既存の住宅や新設住宅に大型家電ＢＯＸのように設置できるのがよい。
増設より壁内や天井内を増設対応のダクト構造化する。
天井と２Ｆ床の間を２重天井のような構造にするなどの方法がある。
通常は保温材や断熱材を間に入れて、増設の場合は配管配線の通路に利用できる。２Ｆ天井上にも倉庫などが配置できたりする。
一般的には建築工事費用が増加するから難しい課題になる。
大量生産ハウスでなければ難しいテーマである。
【実施例１】
【０００９】  図１は、本考案のための一例である。お風呂の上に立てて入浴する。
倒して調理台を広げて料理作業ができる。
ボックスタイプの場合や、厚めの作業板なら重量物に耐えられる。
床に沈んだ浴槽の場合は収納ケースのような調理台を置いてもよい。
新品時は良くても、流し台は困難なので調理台利用がよい。
バス上にカバーを載せて、その上に調理台を載せれば作業できる。
従ってバスの横に流し台を配置して、調理台は入浴の時は開き、入浴後はセットするようにすれば台所としての作業スペースが確保できる。
調理台を上げて、又はその上にテーブルを置いて使うこともできる。
お風呂場で台所作業ができればスペースの有効活用になる。
【実施例２】  ユニットハウスを２ユニットに分けたモデルである。
リビングを１ユニット、台所とお風呂場を１ユニットにしている。
ホテルの簡易ユニットバスの台所への組み込みを考えているので独立型バスがよいが、壁際の防水を工夫すればその上を調理台にできる。
【産業上の利用の可能性】
【００１０】  地震などの災害時の一時住宅として倉庫に段積みして保管すればすぐ対応できる。２列３列あるいは２段３段と重ねれば圧縮性は大きくなる。
【００１１】  例えば電気ポットはエコで８０度保温はあるが４０度保温のポットもあると良い。８０度のお湯もまだかなり熱く焼けどの危険がある。５０度なら安全だろう。技術的にはサーモを増やすだけである。タライにヒーターを付属して５０度のお湯を沸かす方法もある。保温材を巻くとか、保温蓋を使用してもよい。高性能ヒーターが出ているので、洗濯用のタライにヒーターを付属してもよい。お風呂にも使える構造でもよい。
洗濯物によりお湯洗いが良い場合もある。
大型バスと違い短時間でお湯が沸くので、小物が洗え、節電になる。
タライタイプで湯沸し機能があれば低温の湯はタライタンクから出し、高温の湯はポットから出して使う方法もあり火傷の防止になる。
タライ部分は２層構成にしたほうが、洗って元に戻すができる
足湯が流行しているが、ポットの熱い湯に水を足して使えるがすぐ冷めてしまう。タライにヒーター内蔵なら、電源線を接続してスイッチを入れれば加熱するので１０分間の足湯でも暖かいので効果も期待できる。
足湯の場合は湯量が少ないし、冷める分の加熱なので節電になる、
【００１２】  保温防音対策としての雨戸がある。従来の雨戸は木枠にトタン材を取り付けたタイプが多いが、木枠に透過性のある樹脂材や強化ガラスを使った雨戸もあるとよい。夏は適度に日差しを遮り、冬は天気の日は従来の雨戸と違い暖かい。保温断熱防音効果があるので活用範囲が広がる。
最初は従来のトタン雨戸を、試作品雨戸に替えての試験利用からでも良い。季節の変化で方角毎の日照量が変わるので、透明の雨戸や半透明の雨戸や不透明の雨戸を準備、配置替えして利用すれば効果的な雨戸の活用実験ができる。高級タイプは車で使用される硬質ガラスでもよいが、道路面以外では薄い透明や白黒のプラスチックパネルでもよい。固定は枠やレールや金具やビスでよい。トタン雨戸の場合はトタンを折り曲げて釘やビスで止めたタイプが多い。トタン板の特性だが、樹脂材の場合は樹脂材単独でも成型できる。価格などで選択し、テスト製作して実験するとよい。
【００１３】  従来の照明器具は引き掛けローゼットが多く使用されるが、昨今のＡＶ機器などに対応できるように図面のようなコンセント装備でチエーンタイプの照明器具にも利用できるローゼット器具を考案しているので生産活用をすすめる。スピーカやセンサー機器なども設置できるし、ＬＥＤライトが利用できる。例えば８畳間を２部屋に分けて使いたい時に利用できる。
この増設対応のローゼットを接続すれば、照明器具はそのまま使える。
このローゼット増設器具は従来使用の照明器具を外して、その代わりに増設用のローゼット増設器具を取り付ける。このローゼット増設器具には新しいローゼット器具受けがあるので従来の証明器具は再利用できる。
コンセントを付属しているので、セット品の電線をコンセントに差して伸ばして新しい位置にローゼット増設器具を固定すれば新しいローゼット照明器具が取り付けできる。
必要なら２台３台と照明器具を増設することが比較的簡単にできる。
【００１４】  ＬＥＤライトは低電力ランプなのでボタン電池でも点灯し長寿命なので、携帯電話の補助照明より明るいので非常照明としての価値もある。
考案の新ＬＥＤライトは数字の２５７や英字のＣＥＦＵなどをイメージして製作するのでライト本体の製造が単純で、ＬＥＤ電球とボタン電池とスイッチを組み込めば完成する。各数字の先端部をＬＥＤ電球として変形した角型ライトになる。平坦部に普通の磁石又は薄型の強力磁石を付ければ鉄面に固定できる。例えば冷蔵庫や電気ポットや石油ストーブの鉄面などに固定できる。あらかじめ変形済みなので、暗い室内でも電気ポットの水面などがよく見える。少し保管しておけば、夜間や暗い場所で役に立つ。
【００１５】  リビングルームの電気コタツに関する提案として、保温型の改造が考えられる。家電メーカーからセット品が発売されるまでは、個人的に改造する材料をセットで提供するものである。従来の電気コタツは４人でも利用できるが、これを足長コタツにするとコタツ布団を２枚３枚と増やさないと寒い感じになる。その対策品が保温板や暖簾を両面に設置する本考案の保温コタツである。４面暖簾の場合は４人利用にも対応できる。足長改造でもコタツ布団が２枚あれば足りるなどの特徴があり、コタツ布団なしでも電気コタツになる。従来の電気コタツと比較すると、コタツ布団ゼロでも暖房できるのでコンパクトになり、椅子を使えばテーブルとして利用できる。
テーブル下に赤外線ヒーターを付けて、回りに暖簾をセットしてもよい。
基本タイプの場合はコタツのサイズに合せた保温板をマジックテープでコタツの４本足に固定することで完成する。暖簾のようにコタツ本体に掛けてもよい。大型の場合はさらに薄い鉄板で連結するほうが頑丈な電気コタツになる。
【００１６】  暖簾の材質や構成構造が専門的課題になる。
暖簾の厚さを２ｃｍにするか４ｃｍにするかは値段や材質で決まる。
引きかけ金具もＥ型で簡単に着脱できて、洗濯できるタイプがよい。
引き掛ける金具を縦板に蝶ねじで締める金具なら各社コタツに合う。
テーブル類に構成する場合は横板に挟んで固定するＦ型金具がよい。
セット品の電気コタツなら、コタツに合せてあるので引き掛け方法が堅固になる。コタツを足長にすると全体の安定度が低下する。その対策として本箱や収納ケースを段積みして、お猿の籠屋のようにして載せると安定する。
両サイドが使えないが電気コタツは安定するし、幅も広くできる。
上に置くだけなので高さも自由に変更できる。
籠の棒を掛ける金具の例を図面に図示している。不要なら外して保管する。５字Ｓ字のような金具はビスなしでも利用できる。
特殊コタツは通常必要ないし嵩張るだけである。
【００１７】  電気コタツの赤外線ヒーター部に白青赤などのＬＥＤランプを内蔵すれば、コタツ中照明ができるので掃除機で掃除するときに明るいので楽になる。
コタツの木枠にランプソケットを配置すれば、用途に応じて白青赤が選べる。  ランプガードで破損防止構造のユニットにまとめてもよい。
ランプは赤外線ヒーターユニットの内部にすれば金網があり破損の心配がない。ランプスイッチはコタツの温度設定器に付属設置できる。
ＬＥＤランプの数や配列や点灯時間を変えてネオンのようにできる。
普通コタツでごく稀に使う位なら３Ｖや６Ｖの乾電池でも点灯する。
長時間点灯の利用ならＡＣアダプターがよい。交流ＬＥＤランプもある。
ＬＥＤランプユニットは着脱型で、ユニットにスイッチを設けてもよい。
【００１８】  電気ケーブルには一般用、ＡＶ用、ラジオ用、ＰＣ用などがある。
節電なのでタコ足コンセントをさけて、パソコンの電線を外してからラジオを聴きたい時に、ＰＣコネクタにラジオ変換コネクタをさしてからラジオに接続すればラジオが聴ける。ラジオからＡＶ機器に変換できれば１本のケーブルでよい。合成ケーブルや各種変換コネクタがあれば機動的である。
合成ケーブルのほうが分かりやすく、紛失する事も少ない。
【００１９】  天井面の利用だが、工場で天井に吊り金物を取り付けておけば図面７のような物干しポールをすぐ設置する事もできる。図示した物はステンレス製あるいは鉄アルミ製の物干しポールだが内部に防水Ｆケーブルなどを使用したコンセントケーブル内蔵タイプの１例である。天井面に用意した引き掛け金具部分に掛ければ使える。
増設の場合は天井にドリルで穴明けしてから吊り金具を取り付ける必要があるので、取り付け場所によっては突然落下する事もあり、工事時間費用も大きくなる。工事段階で設置しておけばポールを掛けるだけで済む。
ポール以外にもカーテンレール増設、電気ストーブや電気スタンドも使える。あらかじめポール金具が準備されていれば、ダクトも設置できる。
直接天井面に電線や給排水管や給排気管が増設できる。
ローゼット増設器具を接続すれば、照明器具を２台３台と増設できる。
【００２０】  考案の延長上にワゴンタイプ、トランクタイプの自動車活用ハウスがある。
車両床を防水構造に成型し、キッチン用品やリビング用品を入れる。
給排水系や電気系をコンパクトにまとめればよい。
大型のコンテナに考案の集積電気ハウスをそのまま全部収納してもよい。
必要に応じてハウスは置き場に出して、大型トラックとして走行できる。
小さなタイヤ付きブレーキ付きのユニットハウスが良い場合もある。
小型化が進めば、ワゴン車に全部入るモデルができる場合もある。
荷台の高さに合せた置き台があれば、車に積んだり、出して保管できる。
わざわざ車内をあれこれ改造する必要がない。
業務で必要なら荷台を空にして、普通のワゴン車として走行できる。
車両を廃棄する際は、ユニットを出して保管して再利用できる。
【００２１】  寒い日が続くと屋根雪は簡単には融けないし、水も冷たい。
散水しても効果が少ないが、ある程度加熱したお湯は効果がある。
従ってボイラーや瞬間湯沸かし器のお湯を屋根の雪にある程度散水すれば融雪は進むし、瓦タイプの屋根なら少量のお湯でも屋根雪が融けて滑りやすくなる。図面１１はその施工例を示している。
ボイラーのお湯あるいは瞬間湯沸かし器のお湯あるいは加熱機器からのお湯を屋根に散水して屋根表面に固まった雪を融かして融雪する。
図面は屋根上に配管したパイプからの散水だが、水が豊富なら回転式散水機器から降雪時に間歇散水すれば積雪防止できる。
図１１の１の散水部に貯湯、あるいは散水部を下から加熱してお湯ができれば、その湯を散水して融雪に利用できる場合もある。
ボイラーの廃熱や木材を燃焼した廃ガスなどが流せる構造に屋根上を構成できればその廃熱でお湯ができたり、周囲の雪が最初に融けたりする。
ソーラーシステムの冬季利用で屋根上の貯湯スペースを暖める方法もある。実際は雪の中で散水するのは容易ではなく理想論になりやすい。
屋根も新型の屋根が各種でているので、瓦屋根にこだわらなければ種々ある。瓦屋根は地震などで動揺すると修復が難しい。
屋根の頂上は鉄製として１部平面化し、錆びたらリフォームする方法もある。その方が溶接などでソーラーパネルを固定できるし、ベランダも増設できる。ボルトが使えれば堅固な固定方法で設備の増設ができる。
ソーラー設備と同じで、建物の設計段階で検討しないと難しくなる。
【００２２】  防音性能の求められる時代だが簡易型のヘッドホンプレーヤーがある。
目はメガネ、鼻はマスクだが、騒音に対してはヘッドホン改良が考えられる。５曲程度のＢＧＭ音楽がエンドレスで流せればよい。
現状のヘッドホンは耳あて部分が大きく、プレーヤーへのコードもかさばる。そのために収納時にかさばり扱いに苦労する。
耳あて部分を小さくして、時計のベルトのように収納できれば助かる。
ヘッドホンとしての音楽性能より収納力や低価格性を重視している。
イアホンはすぐ外れるが、ヘッドホンは耳への安定性が良い。
そう考えると、１方向性の時計のバンドタイプでもよい。
ＳＤプレーヤーも超小型なので価格は高いがヘッドホンにおさまる。
イアホンコード不要のヘッドホンなのでますますコンパクトになる。
ヘッドホンがコンパクトウオークマンになる。
【００２３】  タワータイプやロケットタイプのソーラーシステムも考えられる。
新型は大きなタンクで熱交換してヒーターで加熱しているが、廉価版として小型の補助貯湯タンクとお風呂で熱交換できる方法を検討できる。
天気の良い日だけの設備だが、ないよりは役に立つ。
工場で配管済みなら設置が比較的簡単になる。
１階に補助貯湯タンクを設置して時々モーターで循環させる。
屋根上の貯湯タンクは小型なので重量も限度まで軽くできる。
高さが違う場合でも調整する方法は各種あるし大型タンクでもよい。
図面１３はお風呂をソーラーパネルと考えれば、従来方式と大差のないソーラーシステムである。このお風呂を発泡スチロールなどで保温するとよい。保温材で埋設部分を断熱すれば保温性が良くなるので昇温する。
クーラボックスのような構成にすればお風呂にしたり、蓋を閉めてその上に台所の調理台を載せたり、テーブルを置いたりできる。
バス側面に集熱管パネルを配置して貯湯タンクのようにしてもよい。
【００２４】  不凍液を集熱パネルと屋根貯湯タンク間に循環させる方法はある。
新案では不凍液を１Ｆと屋根間で循環させて集熱促進する。
水を温水にして１Ｆと屋根間を循環させると１Ｆ補助貯湯タンクの水は昇温する。補助タンクとお風呂間は曇天の日は自然循環させれば多少は暖まる。  寒い日はお風呂に投げ込み式の電気ヒーターを入れて加熱してもよい。  清水の湯はどうするかだが、瞬間湯沸かし器で代用できるが、小型補助タンクを清水用とするか内部を２室に分けて、１室は清水用に１室は風呂水と共用する方法がある。それだけ小型タンクで間に合うソーラー方式になる。お風呂の水が直接暖められるが保温に工夫がいるので、保温できるクーラボックス構造がよい。
ヒーター方式やエコキュート方式は高性能だが電気機械制御が複雑である。新不凍液方式は、配管費用と補助タンクだけなので割安になる。
通常の２Ｆ貯湯タンクは小型不凍液タンクとして、１Ｆと屋根間を循環させる。  補助タンク近辺で分流して清水系補助タンクとお風呂系補助タンクに流す。大型タンク不要で、清水湯も利用できる。
不凍液はパネルの腐食がないなどの利点や、寒冷地でのパネル凍結などの防止効果があるが、水の直接利用でも天気の日は熱くなる。
集熱力の強い特殊冷媒液を使うと高効率になる。
原始ソーラーだから天気のよい日しか利用できない難点がある。
給湯器と組み合わせれば２４時間給湯に変更可能である。
【図面の簡単な説明】
【００２５】
【図１】  簡単なユニットハウスの製作例である。水回りユニットはお風呂や調理台が主体である。
【図２】  台所とリビングの２部屋が基本構成のユニットハウスの１例である。台所は水回りユニットに含める構成である。
【図３】  電気タライの例である。洗濯用タライに加熱ヒーターを付けてお湯が沸かせる。
【図４】  新引き掛けローゼットの例である。コンセントやＬＥＤ電球などが付属している。
【図５】  雨戸の簡単な組み立て例である。トタン雨戸を樹脂系雨戸に変更するだけである。
【図６】  新ＬＥＤライトの１例である。図面は２、７の場合の１例である。
【図７】  天井面に掛けて使える物干しポールである。２列３列は増設ポールの使用例である。
【図８】  非常対応の合成ケーブルの１例である。非常用として各種あらかじめ一本にまとめてある。
【図９】  暖簾式電気コタツの暖簾着脱面の１例である。Ｅ型金具に暖簾を構成し、１列をコタツの木枠に掛けている。
【図１０】  ランプ付きコタツの構成例である。赤外線ヒーターユニットのかご内にＬＥＤランプがある。
【図１１】  屋根上からの散水設備の施工例である。積雪した場合は加熱機器からのお湯を散水して融雪する。
【図１２】  遮音用のヘッドホン兼音楽プレーヤーを内蔵している。頂部にソーラーパネルを付属しているが、省略してもよい。
【図１３】  １Ｆ補助タンク方式のソーラー温水器の概念図である。埋め込みバスタイプの例だが、お風呂は普通タイプでもよい。
【符号の説明】
【００２６】図面１
１  排水口
２  排水ホース
３  浴槽
４  水受け
５  跳ね上げ式流し台
６  水用水栓
７  湯用水栓
８  換気扇
９  調理台
１０  折り曲げ式支柱
１１  床
１２  窓
図面２
１  天井収納部
２  建物屋上
３  分電盤
４  玄関ドア
５  窓
６  床下収納部
７  通路ドア
８  台所天井収納部
９  換気扇
１０  窓
１１  ユニットバススペース
１２  台所床下収納部
図面３  電気タライ
１  タライ本体
２  タライポットへの給水部
３  保温ポット置き台
４  タライタンクからの出湯ボタン
５  タンク内の湯
６  タライポットからの出湯口
７  タライ内の電気ヒーターの例
８  タライポットへの電源ケーブル
図面４
１  チエーン引き掛け部
２  新ローゼット受け本体
３  本体止めビス穴
４  新引き掛けローゼットのローゼット器具取り付け口
５  増設コンセント」
６  ＬＥＤランプ取り付け口
７  電源ケーブル入線口またはケーブル引き出し口
図面５
１  木枠
２  雨戸の裏面
３  樹脂板
４  木枠、又は金枠
５  木枠と樹脂板を合成、落ちないように金具で押さえている。
図面６
１  ＬＥＤランプ
２  ライト本体
３  ボタン電池やスイッチ
４  マグネット部
５  ＬＥＤランプ
６  ７型ＬＥＤライト本体のスイッチ
７  ７型ＬＥＤライト本体
８  マグネット部
図面７
１  物干しポールのコンセント部
２  物干しポール本体
３  物干しポールの増設部
４  物干しポールの増設部
５  物干しポールへの電線入線部
図面８
１  コンセントへの差込
２  ケーブル本体
３  ラジオ用の差込口
４  ＡＶ用の差込口
５  ＰＣ用の差込口
６  一般用の差込口
図面９
１  暖簾圧縮バンド
２  暖簾圧縮バンドの金具押さえ部
３  暖簾金具の木枠上の部分
４  暖簾金具を木枠に掛けて固定する引き掛け部
５  電気コタツ本体の外周木枠の一部
６  電気コタツの内側木枠の一部
７  暖簾の分割部
８  電気コタツの脚
９  棒受け金具のコタツへの固定ビス
１０  コタツ脚代わりに棒を通す時の棒受け金具の１例
図面１０
１  赤外線などのヒーターユニット
２  ＬＥＤランプ
３  赤外線ランプヒーター
４  電気コタツの木枠
５  電気コタツの本体外周木枠の一部
６  電気コタツの温度設定器やＬＥＤランプスイッチ
７  電気コタツの脚ねじ込み部
８  電気コタツの電源ケーブル
９  電気コタツの入り切りスイッチ
１０  電気コタツのコンセントへの差込プラグ
図面１１
１  貯湯水タンク兼散水タンク
２  建物の屋根
３  屋根上への給水給湯の配管
４  給水給湯の屋根上側へのバルブ
５  給水加熱機器でボイラーや瞬間湯沸し器など
６  加熱機器への給水バルブ
図面１２
１  ヘッドホン本体
２  ＳＤプレーヤー内蔵部
３  耳あて部
４  小型ソーラーパネル
５  ラジオなどへのイアホンケーブル（１部省略）
図面１３
１  １Ｆ補助貯湯タンク
２  １Ｆ補助タンクと屋根上の補助貯湯タンクへの配管
３  １Ｆ補助タンクとお風呂への配管
４  お風呂
５  お風呂外側
６  １Ｆ補助タンクとお風呂への配管
７  １Ｆ補助タンク水槽の水面
８  給水バルブ
９  １Ｆ補助タンクと循環ポンプへの配管
１０  循環ポンプや制御機器
１１  循環ポンプと屋根上の小型貯湯タンクへの配管
１２  １Ｆお風呂の水面